(57)【特許請求の範囲】
【請求項１】
使用者が仰臥状態で就寝した際に前記使用者の背部に当接する背当て板を備え、
前記背当て板を備えたマットレス、敷き布団、シーツの少なくともいずれかの就寝面上に、クッション材及びベッドパッドの少なくともいずれかを配置可能とした敷き寝具であって、
前記背当て板は上部平面を形成する本体部を使用者背部中央に対して人体の荷重に対する垂直抗力を及ぼす高抗力部として構成すると共に、同高抗力部の周縁に前記使用者の背部に対して前記本体部の高抗力部よりも低い抗力を使用者の肩甲骨側に及ぼすスロープ部からなる低抗力部を形成し、
前記クッション材及び前記ベッドパッドの枕位置には所定大きさを有する切欠部を配設し、
前記切欠部に配置した枕部の頭部接触位置と背骨部分とが仰臥状態において略一直線上に設定可能としたことを特徴とする敷き寝具。
【請求項２】
前記背当て板は、前記使用者の背部の幅方向略中央に配置した際に、前記使用者の左右腋部と接触しない左右腋部非接触領域を備え、
前記使用者の背部中央を前記高抗力部によりせり上げて使用者の左右腋部を前記低抗力部により沈降させた上方凸状の略円弧状の応力分布を使用者の背部全体にかけるように構成したことを特徴とする請求項１に記載の敷き寝具。
【請求項３】
前記背当て板の略中央部に前記使用者の脊椎に当接する隆起条を形成したことを特徴とする請求項１又は請求項２に記載の敷き寝具。
【請求項４】
前記隆起条は、前記背当て板に対して着脱自在としたことを特徴とする請求項３に記載の敷き寝具。
【請求項５】
前記背当て板は、多孔質体にて形成した複数のシート状分割体を重畳して形成し、前記各シート状分割体の数を変更することで前記背当て板の高さを調節可能としたことを特徴とする請求項１〜４いずれか１項に記載の敷き寝具。
【請求項６】
クッション材は、柔軟層と硬質層、柔軟層と柔軟層、又は硬質層と硬質層とのいずれかの２層構造であることを特徴とする請求項１〜５いずれか１項に記載の敷き寝具。
【請求項７】
柔軟層と硬質層、柔軟層と柔軟層、又は硬質層と硬質層とのいずれかは、ファスナーにて着脱自在に積層したことを特徴とする請求項１〜６いずれか１項に記載の敷き寝具。
【発明の詳細な説明】
【技術分野】
【０００１】
本発明は、敷き寝具の背当て部構造及び同背当て部構造と枕部を備えた敷き寝具に関する。
【背景技術】
【０００２】
従来、就寝に際し、体の下に敷いて使用する寝具（以下、敷き寝具という。）が種々用いられている。
【０００３】
具体例を示すならば、畳などの床面に直接敷いて使用する敷き布団や、ベッド上に配置して使用するマットレスなどが挙げられる（例えば、特許文献１参照。）。
【０００４】
これら敷き寝具は、使用者が体を横たえる面（以下、就寝面ともいう。）において、いずれもある程度の柔軟性が備えられており、使用者の好みにあった硬さのものを使用するのが一般的である。
【先行技術文献】
【特許文献】
【０００５】
【特許文献１】特開２０１２−１６１３９４号公報
【発明の概要】
【発明が解決しようとする課題】
【０００６】
ところが、使用者の好みで選択された敷き寝具であっても、就寝中に寝苦しさを感じたり、寝起きの際に今ひとつ爽快感に欠ける場合がある。
【０００７】
本発明者もまたこのような経験をした一人であり、このような現象の原因を究明すべく、既存の様々な敷き寝具を試して寝やすさや寝起きの際の爽快感について検証を行った。
【０００８】
その結果、従来の敷き寝具の就寝面は、使用者各個人の体型に合わせて変形するよう構成されており、このような傾向は睡眠時の快適さを重視した製品ほど顕著であるとの結論を得た。
【０００９】
すなわち、本発明者の検討結果によれば、従来の敷き寝具は、使用者の体型に応じて柔軟に追従しつつ変形することで、使用者がリラックスするとの思想に基づいて製造されているものと考えられた。
【００１０】
そして、この点について本発明者が更なる鋭意研究をおこなったところ、使用者の体型に合わせるように変形する敷き寝具は、快適な睡眠をもたらすことも勿論あるが、使用者に応じた睡眠時の正しい姿勢を必ずしもサポートするとは限らないことを見出した。
【００１１】
例えば使用者がやや猫背気味である場合、仰臥状態で就寝した際にも、体には背を丸めようとする力が働き、また、就寝面の沈み込みも相俟って、結局猫背状態のまま朝を迎えてしまうこととなり、結果として体に不快感が残ってしまう。
【００１２】
換言すれば、快適な睡眠や爽快な寝起きを迎えるためには、就寝面を使用者の体の形状に合わせるのみならず、就寝面の過剰な沈み込みを抑制しながら、正しい寝姿に矯正する必要がある。
【００１３】
本発明は、斯かる事情に鑑みてなされたものであって、使用者の就寝時の姿勢を正しつつ、正しい姿勢で寝ることによる快適さやリラックスを生起することができ、しかも、使用者の寝返りを可及的阻害することのない敷き寝具の背当て部構造、及び、同背当て部構造を備えた敷き寝具を提供する。
【課題を解決するための手段】
【００１４】
上記従来の課題を解決するために、請求項１に記載の敷き寝具では、使用者が仰臥状態で就寝した際に前記使用者の背部に当接する背当て板を備え、前記背当て板を備えたマットレス、敷き布団、シーツの少なくともいずれかの就寝面上に、クッション材及びベッドパッドの少なくともいずれかを配置可能とした敷き寝具であって、前記背当て板は上部平面を形成する本体部を使用者背部中央に対して人体の荷重に対する垂直抗力を及ぼす高抗力部として構成すると共に、同高抗力部の周縁に前記使用者の背部に対して前記本体部の高抗力部よりも低い抗力を使用者の肩甲骨側に及ぼすスロープ部からなる低抗力部を形成し、前記クッション材及び前記ベッドパッドの枕位置には所定大きさを有する切欠部を配設し、前記切欠部に配置した枕部の頭部接触位置と背骨部分とが仰臥状態において略一直線上に設定可能としたことを特徴とする。
【００１５】
また、請求項２に記載の敷き寝具では、請求項１に記載の敷き寝具において、前記背当て板は、前記使用者の背部の幅方向略中央に配置した際に、前記使用者の左右腋部と接触しない左右腋部非接触領域を備え、前記使用者の背部中央を前記高抗力部によりせり上げて使用者の左右腋部を前記低抗力部により沈降させた上方凸状の略円弧状の応力分布を使用者の背部全体にかけるように構成したことに特徴を有する。
【００１６】
また、請求項３に記載の敷き寝具では、請求項１又は請求項２に記載の敷き寝具において、前記背当て板の略中央部に前記使用者の脊椎に当接する隆起条を形成したことに特徴を有する。
【００１７】
また、請求項４に記載の敷き寝具では、請求項３に記載の敷き寝具において、前記隆起条は、前記背当て板に対して着脱自在としたことに特徴を有する。
【００１８】
また、請求項５に記載の敷き寝具では、請求項１〜４いずれか１項に記載の敷き寝具において、前記背当て板は、多孔質体にて形成した複数のシート状分割体を重畳して形成し、前記各シート状分割体の数を変更することで前記背当て板の高さを調節可能としたことに特徴を有する。
【００２６】
また、請求項６に記載の敷き寝具では、請求項１〜５いずれか１項に記載の敷き寝具において、クッション材は、柔軟層と硬質層、柔軟層と柔軟層、又は硬質層と硬質層とのいずれかの２層構造であることとした。
【００２７】
また、請求項７に記載の敷き寝具では、請求項１〜６いずれか１項に記載の敷き寝具において、前記柔軟層と硬質層、柔軟層と柔軟層、又は硬質層と硬質層とのいずれかは、ファスナーにて着脱自在に積層した。
【発明の効果】
【００２８】
請求項１に記載の敷き寝具によれば、使用者が仰臥状態で就寝した際に前記使用者の背部に当接する背当て板を備えた敷き寝具の背当て部構造であって、前記背当て板は上部平面を形成する本体部を使用者背部中央に対して人体の荷重に対する垂直抗力を及ぼす高抗力部として構成すると共に、同高抗力部の周縁に前記使用者の背部に対して前記本体部の高抗力部よりも低い抗力を使用者の肩甲骨側に及ぼすスロープ部からなる低抗力部を形成したため、使用者の就寝時の姿勢を徐々に正しつつ、正しい姿勢で寝ることによる快適さやリラックスを生起することができ、しかも、使用者の寝返りを可及的阻害することのない敷き寝具の背当て部構造を提供することができる。
【００２９】
また、請求項１に記載の敷き寝具によれば、マットレス、敷き布団、シーツの少なくともいずれかの就寝面上にクッション材及びベッドパッドの少なくともいずれかを配置可能としているため、背当て部材と仰臥する人との間にクッション性の保持や寒暖時の対策ができる敷き寝具を提供することができる。
【００３０】
また、請求項１に記載の敷き寝具によれば、クッション材及びベッドパッドの枕位置に所定大きさを有する切欠部を配設したため、就寝状態の人の体を略一直線上に配置することのできる敷き寝具を提供することができる。
【００３１】
また、請求項２に記載の敷き寝具によれば、背当て部構造において、前記背当て板は、前記使用者の背部の幅方向略中央に配置した際に、前記使用者の左右腋部と接触しない左右腋部非接触領域を備え、前記使用者の背部中央を前記高抗力部によりせり上げて使用者の左右腋部を前記低抗力部により沈降させた上方凸状の略円弧状の応力分布を使用者の背部全体にかけるように構成したため、仰臥状態にある使用者の胸を開き、肩甲骨を寄せることができ、就寝中に肩甲骨の動きを改善して肩こりの改善を図ることができる。
【００３２】
また、請求項３に記載の敷き寝具によれば、前記背当て板の略中央部に前記使用者の脊椎に当接する隆起条を形成したため、仰臥状態にある使用者の脊椎部分を持ち上げて胸を開き、背中の丸まりを抑制することができる。
【００３３】
また、請求項４に記載の敷き寝具によれば、前記隆起条は、前記背当て板に対して着脱自在としたため、必要に応じて脊椎部分への押圧力を調整することができる。
【００３４】
また、請求項５に記載の敷き寝具によれば、前記背当て板は、多孔質体にて形成した複数のシート状分割体を重畳して形成し、前記各シート状分割体の数を変更することで前記背当て板の高さを調節可能としたため、体の沈み込みを使用者の所望する状態に容易に調整することができる。
【００４０】
また、請求項６に記載の敷き寝具によれば、クッション材は、柔軟層と硬質層（柔軟層と柔軟層、又は硬質層と硬質層）との２層構造であることとしたので、いずれかの柔軟性を有するクッション材を選択できる敷き寝具を提供することができる。
【００４１】
また、請求項７に記載の敷き寝具によれば、例えば柔軟層と硬質層とは、ファスナーにて着脱自在に積層したので、クッション材の柔軟層と硬質層とのいずれかが劣化した場合に、新品のものに交換することができる。
【図面の簡単な説明】
【００４２】
【図１】本実施形態に係る敷き寝具の構造を示す説明図である。
【図２】本実施形態に係る背当て部材の構成を示した説明図である。
【図３】本実施形態に係る背当て部材のスロープ部を示した説明図である。
【図４】本実施形態に係る寝具の分解構造を示した説明図である。
【図５】本実施形態に係るマットレスの構造を示した説明図である。
【図６】本実施形態に係るマットレスカバーの構造を示した説明図である。
【図７】本実施形態に係るマットレスカバーを平面視した説明図である。
【図８】本実施形態に係るマットレスカバーの断面を示した説明図である。
【図９】本実施形態に係るクッション材の構造を示した説明図である。
【図１０】本実施形態に係るベッドパッドの構造を示した説明図である。
【図１１】枕部の構成を示した説明図である。
【図１２】本実施形態に係る背当て部材の使用状態を示した説明図である。
【図１３】第１の変形例に係るマットの構成を示した説明図である。
【図１４】第２の変形例に係るマットの構成を示した説明図である。
【図１５】第２の変形例に係るマットの構成を示した説明図である。
【図１６】第２の変形例に係るマットの使用状態を示した説明図である。
【図１７】第３の変形例に係るマットの構成を示した説明図である。
【図１８】本実施形態に係る敷き寝具の背当部構造を備えたマットレスを示した説明図である。
【図１９】本実施形態に係るマットレスの断面を示した説明図である。
【図２０】背当部構造体の一例を示した説明図である。
【図２１】本実施形態に係る敷き寝具の背当部構造を備えた敷き布団を示した説明図である。
【図２２】本実施形態に係る敷き布団の断面を示した説明図である。
【図２３】背当部構造体を収容するポケット部を備えた敷き寝具を示した説明図である。
【図２４】ポケット付敷き寝具の断面を示した説明図である。
【図２５】ポケット付敷き寝具の断面を示した説明図である。
【発明を実施するための形態】
【００４３】
本発明は、使用者が仰臥状態で就寝した際に前記使用者の背部に当接する背当て板を備えた敷き寝具の背当て部構造であって、前記背当て板は本体部を使用者背部に対して高い抗力を及ぼす高抗力部に構成すると共に、同高抗力部の周縁に前記使用者の背部に対して前記本体部の高抗力部よりも低い抗力を及ぼす低抗力部を形成したことを特徴とする敷き寝具の背当て部構造を提供するものである。
【００４４】
また、本発明は、上述の敷き寝具の背当て部構造を備えた種々の敷き寝具についても提供する。
【００４５】
以下、図面を参照しながら具体的に説明するが、まず、本実施形態に係る敷き寝具の背当て部構造を備えたマット（以下、本実施形態に係るマット又は単にマットともいう。）を例にして説明を行い、その後、その他の敷き寝具について説明する。
【００４６】
〔敷き寝具の背当て部構造を備えた背当て部材〕
図１は、ベッド１１上に本実施形態に係る背当て部材１０を介設して敷き寝具１１０を配置した説明図である。
【００４７】
この背当て部材１０は、使用者が仰臥した際に、撓みすぎによって正しい就寝姿勢を維持することが困難な、換言すれば柔らかすぎるマットレス１２上に敷くことにより、使用者が横臥した際のマットレス１２による過剰な沈み込みを抑制し、使用者の就寝時の姿勢を正しつつ、正しい姿勢で寝ることによる快適さやリラックス状態を使用者に生起させるものである。
【００４８】
すなわち、背当て部材１０は、図１に示すところのマットレス１２のような沈み込みの抑制対象となる敷き寝具１１０（以下、単に対象寝具という。）の就寝面１３に配置して、過剰な柔軟性を緩衝するためのものである。
【００４９】
図１に示すように、使用直前の状態において背当て部材１０は、ベッド１１上に配置したマットレス１２の就寝面１３に配置されている。
【００５０】
就寝面１３上での背当て部材１０の配設位置は、仰臥状態で就寝する使用者の首部から背部及び臀部にかけて当接する位置としており、ここでは、就寝面１３の左右略中央部で、就寝面１３の長手方向の頭側寄り（ヘッドボード寄り）の位置としている。
【００５１】
すなわち、背当て部材１０は、図１２（ｂ）に示すように、その平面視部分が人の胴体部分内に収まるような大きさを有し、その左右上端部が左右肩部下方に位置し、その左右下端部が左右臀部下方に位置するような大きさを有する。また、背当て部材１０は、使用者の背部の幅方向略中央に配置した際に、使用者の左右腋部と接触しない左右腋部非接触領域を備えるものである。
【００５２】
なお、本実施形態では、背当て部材１０は、図４に示すように、マットレス１２上に、背当て部材１０を有するマットレスカバー７０を配置し、その上にクッション材１０１やベッドパッド１０２を配置しているが、これに限定されるものではなく、マットレス１２上に、背当て部材１０を配置し、その上にクッション材１０１及びベッドパッド１０２の少なくともいずれかをマットレス１２の就寝面１３上に配置しても良い。又は、背当て部材１０を配置し、その上にシーツ１１１を直接配置しても良い。すなわち、対象寝具と横臥（仰臥）する人体との間に介設される位置であれば良い。また、以下の説明において、就寝面上での方向等を表すために、仰臥した使用者の体を基準として、頭−足方向や、体側方向という場合がある。すなわち、図１において就寝面上における頭−足方向は紙面左上−右下方向であり、体側方向は紙面左下−右上方向である。
【００５３】
背当て部材１０は、板材にて形成されており、背当て部材１０は、図２に示すように使用者の頭−足方向を長手とし、体側方向を短手とした平面視略矩形状としている。また、背当て部材１０は、図２の下部及び右側の断面図に示すように、長手縁部及び短手縁部の厚みが外方に向けて漸次減少する断面視略台形状としている。
【００５４】
このような形状により、横臥する人の左右肩甲骨部分が背当て板の以下に示す低抗力部に位置し、背骨部分が背当て板の以下に示す高抗力部に位置する。
【００５５】
背当て部材１０を形成する剛性な板材が好ましく、剛性な板材を使用することで、姿勢が真っ直ぐに矯正される。特に猫背の人は、この剛性な板材により姿勢が真っ直ぐに矯正される。
剛性な板材としては、乾燥させた木製合板が好ましい。
【００５６】
剛性な合板が好みでない人によって、弾性素材を使用してもよい。弾性素材は、横臥（仰臥）した使用者の重量によって偏平状に圧縮変形する素材であって、対象寝具の過剰な沈み込みを抑制することのできる素材であれば特に限定されるものではない。
【００５７】
弾性素材としては、例えば、多孔質素材、より具体的には、樹脂製のスポンジ素材を好適に使用することができる。
【００５８】
また、圧縮変形する割合は、沈み込みの抑制効果をどの程度生起させるかによって適宜変更可能であるが、好ましくは、仰臥した人体により最も圧力がかかる背当て部材１０上の位置（以下、最大圧力位置ともいう。）において、その厚みが２０分の１以上、２分の１以下で、0.3cm〜2.0cmの範囲内となる程度であるのが望ましい。
【００５９】
圧縮された時の厚みが、無負荷時（自由状態）における厚みの２０分の１未満となると、沈み込みの抑制効果や、使用者の体に対する矯正効果が乏しくなるため好ましくない。
【００６０】
また、２分の１を越えると、弾力性が強すぎて、使用者に違和感や不快感を与えるおそれがある。
【００６１】
圧縮変形の割合を、２０分の１以上、２分の１以下とすることにより、沈み込みの抑制効果や、使用者に対する矯正効果を生起しつつ、違和感や不快感を与えるおそれを可及的防止することができる。
【００６２】
また、背当て部材１０は、上記剛性な板材の上層に柔軟素材からなる板材を積層することもできる。柔軟素材の厚みは特に限定されない。
【００６３】
または、上記剛性な板材の上に一枚の柔軟シートを被せることもできる。この一枚の柔軟シートは、剛性な板材による下からの圧迫感を解消させると共に、高さの微調整も兼ねている。
【００６４】
次に、使用者が横臥（仰臥）した際の最大圧力位置における圧縮変形時の厚みについてであるが、本発明者の研究により、就寝面１３と使用者の背面との間がほんの数ミリ変化する程度で、就寝時の快適さや起床時の爽快感がかなり変化することが分かっている。
【００６５】
本実施形態では、高効力部の厚みは限定されないが、例えば６ｍｍ〜１６ｍｍである。具体的な厚みについては使用者の横臥した印象によって適宜選択される。
【００６６】
高抗力部の厚みは、使用期間によって厚みを増減するようにしてもよい。例えば、高抗力部の厚みが小さいものを所定期間使用して慣れた後に厚みの大きいものに変更して使用するようにしてもよい。その逆でもよい。
【００６７】
また、弾性素材を使用している場合、圧縮変形時の厚みが0.3cmを下回ると、使用者に違和感を感じさせるおそれは回避できるものの、使用者の体に対する矯正効果が乏しくなるため好ましくない。
【００６８】
また、圧縮変形時の厚みが2.0cmを上回ると、使用者に対して違和感を感じさせることとなり、快適な睡眠を妨げるおそれがあるため好ましくない。
【００６９】
最大圧力位置における圧縮変形時の厚みを0.3〜2.0cmの範囲内とすることにより、比較的違和感が少なく、使用者の体に矯正効果を生起させることができる。
【００７０】
図２の説明に戻り、背当て部材１０は、その全体が仰臥状態で就寝した際に使用者の背部に当接する背当て板として機能するものであり、上部平面を形成する本体部１５と、同本体部１５の周縁に形成されたスロープ部１６とを有している。
【００７１】
本体部１５は、長手方向の長さを少なくとも使用者の首部から臀部までの長さとし、また、短手方向の長さＬ１を使用者の肩幅よりも狭い長さ、より好ましくは左右脇間の長さ（胸部胴体幅と略同じ長さ）とした矩形状の部位である。
【００７２】
また、スロープ部１６は、本体部１５から外方へ向けて厚みを漸次減少させつつ形成した部位であり、滑らかな連続斜面としている。なお、本実施形態においてスロープ部１６は、連続的な傾斜面によって厚みを漸次減少させているが、これに限定されるものではなく、例えば不連続的（階段状）に厚みを漸次減少させるよう構成しても良い。
【００７３】
また、このスロープ部１６の幅、特に長手縁部に形成したスロープ部１６の幅Ｌ２は、使用者の脇から肩先までの長さと略同じ幅としている。
【００７４】
また、前述の本体部１５は、図３に示すように、仰臥した使用者の背部に対して高い抗力を及ぼす部位であり、本実施形態に係る敷き寝具１１０の背当て部構造において高抗力部として機能する部位である。
【００７５】
ここで、高抗力部とは、本体部１５と人の背骨部分との接触面に働く力であって、人体の荷重に対して反対に作用する力、すなわち垂直抗力（反力）が作用する部位である。この高抗力部では、人体の荷重が大きいほど、垂直抗力が大きく作用する。また、体重が大きい人ほど荷重がかかるため大きく作用する。
【００７６】
しかも、床面から表面部まで厚みが大きいほど大きく作用する。これは、肩の部分を非接触箇所としており、厚みが増すと本体部１５と人体との接触面が前記非接触箇所より上方に位置することになり、前記人体の荷重に対してより垂直抗力が増すからである。
【００７７】
また、スロープ部１６は、仰臥した使用者の肩甲骨側に対して、本体部１５に比して低い抗力を及ぼす部位であり、本実施形態に係る敷き寝具１１０の背当て部構造において低抗力部として機能する部位である。
【００７８】
ここで、低抗力部とは、スロープ部１６の箇所に前記高抗力部とは低い垂直抗力が発生する箇所である。すなわち、低抗力部は、端面から本体部に向かって厚みが増すような構造であるため、高抗力部より低い垂直抗力が作用する部位である。
【００７９】
なお、図３中における白抜きの矢印は、使用者が背当て部材１０上に仰臥した際に受ける抗力のイメージを示したものであり、矢印の大きさは必ずしも正確なものではない。
【００８０】
〔本実施形態での敷き寝具〕
次に、背当て部構造を備えた敷き布団として有する敷き寝具１１０について、図４〜図９を参照しながら説明する。
【００８１】
図４は、本実施形態に係る敷き寝具１１０の分解構造を示した説明図である。本実施形態に係る敷き寝具１１０は、図４に示すように、ベッドフレーム１０８及びマットレス１２の上面側に、本実施形態に係る敷き寝具１１０の背当て部構造を備えた背当て部材１０が背当部構造体６６として内蔵するマットレスカバー７０と、その上方にクッション材１０１と、さらにその上方にベッドパッド１０２を備える。
最初に、マットレスカバー７０について説明し、クッション材１０１及びベッドパッド１０２の順で説明する。
【００８２】
〔敷き寝具の背当て部構造を備えたマットレスカバー〕
本実施形態に係る背当て部構造を備えたマットレスカバー７０（以下、本実施形態に係るマットレスカバー７０、又は単にマットレスカバー７０ともいう。）について、図４、図６〜８を参照しながら説明する。
【００８３】
図４に示すように、本実施形態に係るマットレスカバー７０は、短辺側を底面まで延伸させると共にその端部のみにゴム紐７１を取り付けて構成し、長辺側はその端部をマットレス下端と面一上にすることで、底面側に開口を備えたボックスシーツのような形状を有し、下方に配設したマットレス１２を上方から被せて包み込むような構造を有する。
【００８４】
また、マットレスカバー７０には、同マットレスカバー７０内に内蔵された背当部構造体７６(背当て部材１０)の外周縁に沿って、表面布７４と裏面布７５と（又は表面７２の表面布７４のみ）が縫い合わせられた縫着部７７を形成しており、マットレスカバー７０内での背当部構造体７６の移動を規制している。
【００８５】
そして、このような本実施形態に係るマットレスカバー７０によれば、使用者の就寝時の姿勢を正しつつ、正しい姿勢で寝ることによる快適さやリラックスを生起することができ、しかも、使用者の寝返りを可及的阻害することのないマットレスカバー７０を提供することができる。
【００８６】
図７は、図４に示すシーツとは異なる形態を有するマットレスカバー７０を示した説明図である。
なお、マットレスカバー７０は、図４に示すシーツのマットレスカバー７０を例に説明したが、これに限定されるものではなく、例えば、図７に示すように、四隅に設けられたゴムバンド７１にて敷き布団に係止するマットレスカバー７０等であっても良い。
【００８７】
図８は、図７に示すマットレスカバー７０の断面を示した説明図である。
特に、本実施形態に係るマットレスカバー７０は、図８の断面図に示すように、表面布７４と裏面布７５との２枚の布地を背当て部材１０を介して貼りあわせて形成、又は、表面布７４のみをマットレスカバー７０の表面７２に背当て部材１０を介して貼り合わせて形成した本実施形態に係る敷き寝具１１０の背当て部構造を備えた背当て部材１０を背当部構造体７６として内蔵している点で、一般的なマットレスカバー７０と構成を異にしている。
【００８８】
また、マットレスカバー７０内に収容した背当部構造体７６は、取出し可能に構成しても良く、さらにこの取出し口にファスナーＦや面ファスナー等の閉塞係止具を設けて閉塞可能に構成しても良い。
【００８９】
また、本実施形態に係るマットレスカバー７０は、背当て部材１０を背当部構造体７６として内蔵することで本実施形態に係る敷き寝具１１０の背当て部構造を実現したが、これに限定されるものではなく、本実施形態に係る敷き寝具１１０の背当て部構造を備えた何らかの背当部構造体を表面布７４と裏面布７５の間に備えていれば良い。
【００９０】
例えば、前述のマットレス５０で説明したように、就寝面の略全体に及ぶような平坦部５９ｂが設けられた背当部構造体５９を収容することで構成しても良い。
【００９１】
さらに、収容する背当部構造体には、図１３に示すような後述の第１の変形例における切欠部２３や幅広部２４、後述の第２の変形例における隆起部材３１等を設けても良く、第３の変形例における構成を適用して高さを調節可能としても良い。
【００９２】
なお、ここに示したマットレスカバー７０は一例であり、例えば、敷き布団の全体を収容する袋状のマットレスカバー７０や、ベッドパッド１０２等と一つに取り付けるボックスシーツなど、各種マットレスカバーに同様の構成を設けても良いのは言うまでもない。
【００９３】
また、ここに示したマットレスカバー７０の例では、就寝面全体と略同じ面積を有する表面布７４と裏面布７５で形成したが、これに限定されるものではなく、いずれか一方の布が就寝面全体と略同じ面積を有する布とし、他方を少なくとも縫着部を形成できる程度の面積を有する布として形成しても良い。
【００９４】
〔敷き寝具のクッション材〕
次に、クッション材１０１について説明する。
図９は、本実施形態に係るクッション材１０１の構造を示した説明図である。
クッション材１０１は、マットレスカバー７０の上面に載置するものであり、弾力性を有すると共に比較的柔軟性を有する柔軟クッション層１０１ａと、その柔軟クッション層１０１ａよりも硬質であり弾力性を有する硬質クッション層１０１ｂとの２層構造を有する。柔軟クッション層１０１ａの厚みは、例えば３５ｍｍ厚みであり、硬質クッション層１０１ｂの厚みは、例えば３５ｍｍ厚みである。但し、各クッション層の厚みは特に限定されない。
【００９５】
なお、クッション材１０１は、柔軟クッション層１０１ａと硬質クッション層１０１ｂとの組合わせに限られず、柔軟クッション層と柔軟クッション層、又は硬質クッション層と硬質クッション層との組合わせでもよい
【００９６】
柔軟クッション層１０１ａ及び硬質クッション層１０１ｂは、網目状に編み込まれたカバー部１０３と、カバー部１０３の内部に三次元立体編物（図示せず）が充填されている。
【００９７】
カバー部１０３は、ポリエステル等の素材で蜂の巣のような網目（ハニカムメッシュ）に形成したものであり、伸縮自在に形成されている。
【００９８】
三次元立体編物(図示せず)は、例えば、東洋紡株式会社製のブレスエアー（登録商標）を使用することができる。ブレスエアー（登録商標）は、繊維が三次元状に複雑に絡み合ってできており、その見た目を例えるならば、樹脂でできた白いインスタントラーメンのような構造体を有する。
【００９９】
クッション材１０１は、カバー部１０３内に上記ブレスエアー（登録商標）を充填したものに限られず、三次元に構成する編物であればよく、例えば、表裏面を編状に構成し、この表裏面を伸縮自在な素材で編状に連結して三次元に構成する編物でもよい。
【０１００】
また、三次元立体編物(図示せず)の密度は限定されず適宜選択することができる。本実施形態では、柔軟クッション層１０１ａでは構造体の径が小さく高密度を有し、硬質クッション層１０１ｂでは構造体の径が大きく低密度である。
【０１０１】
この三次元立体編物(図示せず)を使用することで、クッション材１０１内に空気層が形成され、その空気層が人体からのむれ等を遮断する。また、夏季では、クッション材１０１は、その内部に形成される空気層内でエアーの循環が活発になり、熱の放出性が高まるので、涼しくして就寝できるように構成できる。これに対して、冬季では、クッション材１０１の周囲を厚いシーツ材等で覆いその内部の空気層を取り囲むことで保温性を保持できるように構成することができる。
【０１０２】
柔軟クッション層１０１ａには、一方の短辺側に所定の大きさの切欠部９３ａを形成している。また、硬質クッション層１０１ｂには、前記柔軟クッション層１０１ａに形成した切欠部９３ａとは異なる他方の短辺側に所定の大きさの切欠部９３ｂを形成している。
【０１０３】
このように構成することで、クッション材１０１はリバーシブルとすることができる。すなわち、人の好みに応じて、柔軟クッション層１０１ａの表面側を上面にすることができ、または、硬質クッション層１０１ｂの表面側を上面にすることもできる。
【０１０４】
図９に示すように、柔軟クッション層１０１ａを上面とし頭側に切欠部９３ａを配置した場合では、この切欠部９３ａに枕部９２を配置することができる。このとき、裏側にある硬質クッション層１０１ｂの足側端部は切欠部９３ｂが形成されているので、この切欠部９３ｂに矩形の小片マット部材１０４を配置させる。硬質クッション層１０１ｂの表面側を上面にした場合も同様である。
【０１０５】
また、柔軟クッション層１０１ａと硬質クッション層１０１ｂとはファスナーＦにて連結・取外し自在としている。すなわち、柔軟クッション層１０１ａの硬質クッション層１０１ｂとの外周面と切欠部１３ａ及び切欠部１３ｂの端部にまでファスナーＦを配設している。
このように、ファスナーＦを設けていることで、例えば、長時間使用して柔軟クッション層１０１ａ及び硬質クッション層１０１ｂのいずれかが劣化した場合に新品と交換できる。
【０１０６】
〔敷き寝具のベッドパッド〕
図１０は、本実施形態に係るベッドパッド１０２の構造を示した説明図である。
ベッドパッド１０２は、クッション材１０１の上面に載置するものであり、麻製の薄い敷き布団である。ベッドパッド１０２は、例えば、裏地を綿、中綿を麻で、表地を麻で順次３層に積層してキルティング加工にて形成している。
ベッドパッド１０２は、中綿材としては前記麻製に限定されず、綿製やウール製でもよい。
【０１０７】
ベッドパッド１０２は、頭部側となる一方の短辺側に所定の大きさの切欠部９３ｃを形成している。この切欠部９３ｃ内に枕部９２を配置可能としている。すなわち、前述するクッション材１０１と同じ大きさの切欠部９３ｃを設けており、この切欠部９３ｃには枕部９２を配置可能としている。
【０１０８】
また、ベッドパッド１０２には、表地の表面側に、脚部を位置決めすることでベッド上に横臥時の中心位置を位置決めするための位置決め部材１０５を配設している。
【０１０９】
位置決め部材１０５は、図４，１０に示すように、左右一対のポケット部１０６と、そのポケット部１０６に挿入可能なクッション材１０１とからなる。ポケット部１０６は、長方形の布片の長辺側を前記ベッドパッド１０２の表地側に縫製することによりトンネル状にしたものである。ポケット部１０６は、トンネル状にすることで略円柱状のクッション材１０７を嵌脱可能に構成したものである。
【０１１０】
そして、左右一対の位置決め部材１０５を設けることにより、この間に脚を位置させることで、横臥時のベッド上での略中心位置を決めることができ、背当て部材１０の位置を背骨部分に一致させることができる。
【０１１１】
位置決め部材１０５は、位置決め用として使用しない場合には、ポケット部１０６から中のクッション材１０７を抜き出すことで、トンネル状のポケット部１０６を押さえて平坦化させることができるので、位置決め部材１０５を有しない通常のベッドパッド１０２と同じ状態にすることができる。
【０１１２】
〔枕を備える敷き寝具〕
次に、本実施形態に係る枕について、図１１（ａ）〜（ｆ）を参照しながら説明する。
図１１（ａ）及び図１１（ｂ）は、本実施形態に係る敷き寝具１１０の一形態としての枕の外観を示した斜視図である。
【０１１３】
枕部９２は、図１１（ａ）及び図１１（ｂ）に示すように、頚部当接体９６と、後頭部当接体９７と、２つの側部規制体９８,９８とで構成しており、隣接する部材の対向する面の縁部を互いに連結させて一体としている。
【０１１４】
図１１（ｃ）は、枕の外観を示した平面図である。図１１（ｄ）は、図１１（ｃ）に示す枕のＡ−Ａ断面図である。図１１（ｅ）は、図１１（ｃ）に示す枕のＢ−Ｂ断面図である。図１１（ｆ）は、図１１（ｃ）に示す枕のＣ−Ｃ断面図である。
【０１１５】
また、枕部９２は、図１１（ｃ）に示すように、底面視において切欠部９３ａ〜９３ｃと同じかやや小さめの（略同じ）形状としている。本実施形態では、枕部９２の寸法は例えば体側方向約580mm、頭−足方向約400mmに形成している。
【０１１６】
なお、以下の説明において各部の説明と共に理解を容易とすべく寸法について言及する場合があるが、仕様や用途等に応じて適宜変更可能である。
【０１１７】
頚部当接体９６は、仰臥した使用者の頚部を当接させるための部位である。頚部当接体９６は、図１１（ｆ）からも分かるように、Ｃ−Ｃ断面視において略かまぼこ形に形成しており、例えば体側方向約80mm、頭−足方向約150mm、高さ約60mmとしている。
【０１１８】
また、頚部当接体９６は、布地の内部に籾殻や小豆、プラスチック片などの粒状充填体が充填されている。
【０１１９】
粒状充填体は、頚部当接体９６内に最大限に粒状充填体を充填した際の量よりも少ない量を充填しており、頚部当接体９６内で粒状充填体が流動可能な状態としている。すなわち、使用者の頚部形状に合わせて高さや形状などを変化できるようにしている。
【０１２０】
また、枕部９２の前側面及び後側面には、図１１（ａ）及び図１１（ｂ）に示すように、ファスナーＦが設けられている。なお、ファスナーＦは、頚部当接体９６、後頭部当接体９７、側部規制体９８,９８のそれぞれに設けられており、各内部に収容する粒状充填体の量を調整可能としている。
【０１２１】
後頭部当接体９７は、仰臥した使用者の後頭部を当接させるための部位であり、頚部当接体９６の上部側（頭−足方向における頭側）に連結させて配設している。
【０１２２】
後頭部当接体９７は、例えば体側方向約80mm、頭−足方向約250mm、高さ約65mm程度に形成しており、頚部当接体９６と同様に、内部に粒状充填体を流動可能な状態で充填している。
【０１２３】
側部規制体９８,９８は、頚部当接体９６及び後頭部当接体９７の体側方向両側に連結させて配設しており、頚部当接体９６及び後頭部当接体９７よりもやや高い高さを有している。
【０１２４】
具体的には、側部規制体９８,９８は、図１１（ｃ）〜図１１（ｆ）に示すように、内部に粒状充填体を流動可能な状態で充填しつつ、体側方向約250mm、頭−足方向約400mm、高さ約70mm程度にそれぞれ形成しており、仰臥状態で就寝する使用者の頭部位置が左右に大きくずれてしまうことを防止するように構成している。
【０１２５】
そして、上述の構成を備える敷き寝具１１０によれば、使用者の就寝時の姿勢を正しつつ、正しい姿勢で寝ることによる快適さやリラックスを生起することができ、しかも、使用者の寝返りを可及的阻害することがないのは勿論のこと、使用者の頭部位置を穏やかに規制して、使用者の背部が背当て構造部５９ａから大きく逸脱してしまうことを防止することができる。
【０１２６】
しかも、頚部当接体９６を後頭部当接体９７よりも高く構成しているため、図１２に示すように、使用者が仰臥しながら就寝している際の気道を確保することができ、呼吸の阻害やいびきの発生を効果的に抑制することができる。
【０１２７】
〔敷き寝具のベッドメイキング〕
次に、ベッドメイキングについて図５〜図１０を参照して説明する。
まず、図５に示すように、一般のベッドフレーム１０８の上に一般のマットレスカバー７０を載置する。次に、図６に示すように、そのマットレスカバー７０の上に、本発明の背当て部材１０を備えるマットレスカバー７０を載置し、マットレスカバー７０の四隅に係止用のゴムバンド７１で係止する。
【０１２８】
そして、図９に示すように、マットレスカバー７０の上にクッション材１０１を載置する。クッション材１０１は、人の好みに応じて柔軟クッション層１０１ａ又は硬質クッション層１０１ｂのいずれかを上面にするのを選択する。さらに、図１０に示すように、クッション材１０１の上面にベッドパッド１０２を載置する。最後に、図１に示すシーツ１１１を載置する。
以上のようにして、図１に示すようなベッドメイキングができる。
【０１２９】
このようにベッドメイキングされた寝具で横臥すると以下の効果を奏することができる。
すなわち、横臥状態では背当て部材１０により、図１２（ｂ）に示すように、頭部より正面視すると、人体の左右の胸面が外方に広がるように、背中面が背骨部分を頂点とし、肩甲骨部分を傾斜面とし、肩部分を底辺側の頂点部とする略台形状に姿勢を矯正することができる。
【０１３０】
そして、このように構成した背当て部材１０によれば、使用者の就寝時の姿勢を徐々に正しつつ、正しい姿勢で寝ることによる快適さやリラックス状態を生起することができ、しかも、使用者の寝返りが阻害されることを可及的防止できる。
【０１３１】
すなわち、図１２（ａ）に示すように背当て部材１０を使用していない状態にあっては、使用者Ｐの背部及び臀部がマットレス１２に深く沈み込んでしまい、太線で示す脊椎は、比較的大きく上下方向に蛇行してしまうこととなる。
【０１３２】
また、このときの使用者Ｐの肩は、図１２（ａ）の右図に示すように、背部がマットレス１２中に沈み込むことにより相対的に上昇してしまい、脊椎と左右の肩先を結ぶ仮想線の角度αが比較的小さくなってしまう。付言すれば、仰臥状態にある使用者Ｐは、マットレス１２によって両肩がすくめられ、胸が閉じた状態となってしまう。
【０１３３】
この状態のまま就寝すると、使用者は、寝苦しさを覚えたり、自然な寝返りをうつことが困難となる。
【０１３４】
一方、図１２（ｂ）に示すように、本実施形態に係る背当て部材１０をマットレス１２上に載置し、その上に背当て部材１０を備えたマットレスカバー７０等の敷き寝具を介して使用者Ｐが仰臥すると、左下図からも分かるように、図１２（ａ）で示した場合に比して背部及び臀部の沈降が抑制されて、脊椎の上下方向の蛇行は小さく抑えられる。
【０１３５】
また、使用者Ｐの背部の沈み込みが抑制されることにより、背部の位置が使用者Ｐの後頭部の位置に近くなるため、使用者Ｐの顎がやや上向きとなり、気道が十分確保されて、いびきの発生が抑制される。
【０１３６】
しかも、図１２（ｂ）の右下図に示すように、背当て部材１０は低抗力部としてのスロープ部１６を備えているため、背部中央をせり上げて背部両側の左右腋部が相対的に沈降し、上方凸状で略円弧状の応力分布が掛かることとなる。
【０１３７】
それゆえ、脊椎と左右の肩先を結ぶ仮想線の角度αが比較的大きくなり、胸が開くこととなるため、マットレス１２によって肩がすくめられることによる寝苦しさを抑制することができる。
【０１３８】
また、低抗力部としてのスロープ部１６が存在することにより、使用者Ｐが寝返りをうつ際、左右いずれに寝返った場合でも高抗力部から低抗力部側へ体を回転させることとなるため、極めて容易に寝返りをうつことができる。なお、このことは健常者が就寝する場合に拘わらず、介護の現場等においても極めて有用である。
【０１３９】
このように、本実施形態に係る背当て部材１０によれば、これらの作用が相俟って、使用者の就寝時の姿勢を正しつつ、正しい姿勢で寝ることによる快適さやリラックスを生起することができ、しかも、使用者の寝返りを可及的阻害することがない。
【０１４０】
付言すれば、本実施形態に係る敷き寝具の背当て部構造、及び、本実施形態に掛かる背当て部材１０によれば、使用者の就寝時の姿勢を正しつつ、正しい姿勢で寝ることによる快適さやリラックスを生起することができ、しかも、使用者の寝返りを円滑に行わせることができる。
【０１４１】
しかも、図１２（ｂ）に示すように、側面視すると、枕部９２の頭部接触位置と背骨部分とが略一直線上、又は枕の頭部接触位置が背骨部分より略２ｃｍ以内に高く設定することができ、人体を略一直線に保持できる効果を有する。
【０１４２】
通常では、枕を載置することで、敷布団上面より上方に位置するが、本発明では、背当て部材１０を配設するため、通常の枕位置であると、首部分を下方にした反り返りの状態になる。
【０１４３】
そこで、本発明では、ベッドパッド１０２及びクッション材１０１に所定大きさの切欠部９３ａ，９３ｂを形成することにより、枕部９２の高さ位置を通常より低くなるように設定している。加えて、横臥した状態では、枕部９２の後頭部当接体９７（図１１に示す）を背当て部材１０の高抗力部（本体部１５）上面より高くしている。
【０１４４】
上述してきたように、本実施形態に係る敷き寝具の背当て部構造によれば、使用者が仰臥状態で就寝した際に前記使用者の背部に当接する背当て部材１０を備えた敷き寝具の背当て部構造であって、前記背当て部材１０は本体部を使用者背部に対して高い抗力を及ぼす高抗力部に構成すると共に、同高抗力部の周縁に前記使用者の背部に対して前記本体部の高抗力部よりも低い抗力を及ぼす低抗力部を形成したため、使用者の就寝時の姿勢を正しつつ、正しい姿勢で寝ることによる快適さやリラックスを生起することができ、しかも、使用者の寝返りを可及的阻害することのない敷き寝具の背当て部構造を提供することができる。
【０１４５】
このように、姿勢を正しくさせて横臥することができるので、安眠することができるのである。
【０１４６】
（変形例）
次に、本実施形態に係る背当て部材としてのマットの第１の変形例について、図１３を参照しながら説明する。なお、以下の説明において、先に説明した背当て部材１０と同様の構成については同じ符号を付して説明を省略する。
【０１４７】
本第１の変形例に掛かるマット２０は、高抗力部として機能する本体部１５と、低抗力部として機能するスロープ部１６とを備える点において前述の背当て部材１０と同様の構成としているが、本体部１５及びスロープ部１６を内方へ向けて切り欠いて形成した切欠部２３と、本体部１５及びスロープ部１６を外方へ向けて膨出させて形成した幅広部２４とを、左右長手縁部の中途に備えている点で構成を異にしている。
【０１４８】
切欠部２３は、仰臥した使用者の左右肩甲骨に対応する位置を半円弧状に切り欠いて形成した部位であり、使用者の肩部と接触しない肩部非接触領域をより広くすることで、肩部の沈降をより助長する部位である。
【０１４９】
また、幅広部２４は、仰臥した使用者の臀部に対応する位置を幅広に形成した部位であり、対象寝具に対する臀部の沈み込みを更に広い範囲で抑制するための部位である。
【０１５０】
このような構成を備えたマット２０によれば、使用者の就寝時の姿勢を正しつつ、正しい姿勢で寝ることによる快適さやリラックスを生起することや、使用者の寝返りを円滑に行わせることは勿論のこと、使用者の胸を更に開きつつ、臀部の安定感を確保することができる。なお、本第１の変形例では、切欠部２３と、幅広部２４との両者を備える構成としたが、いずれか一方を備える構成としても良い。
【０１５１】
次に、本実施形態に係るマットの第２の変形例について図１４〜図１６を参照しながら説明する。第２の変形例に係るマット３０は、先に説明した背当て部材１０と同様の構成を備えているが、本体部１５の頭側寄りで体側方向略中央部に隆起部材３１を配置した点で構成を異にしている。
【０１５２】
具体的には、図１４に示すように、マット３０は、本体部１５とスロープ部１６とを有すると共に、この本体部１５の上面に対して着脱自在に構成された隆起部材３１を備えている。
【０１５３】
隆起部材３１は、使用者の脊椎に対向する背面位置（以下、単に脊椎部分ともいう。）に当接させる隆起条を形成するための部材であり、図１５に示すように短手方向断面視において扁平な山型形状を有し、その頂部を隆起条としている。また、長手方向の長さＬ３は、使用者の首の付け根部分から尾てい骨のやや上の腰のくびれの位置程度の長さとしている。
【０１５４】
また、隆起部材３１の周縁（図１５における隆起部材３１の裾の部分）は外方へ向けて漸次肉薄となるよう形成しており、本体部１５に載置して使用者が仰臥した際に、隆起部材３１と本体部１５との境目に段差が生じて違和感を感じることがないよう構成している。
【０１５５】
また、隆起部材３１の本体部１５への着脱は、隆起部材３１及び／又は本体部１５の対向面に配設した係止部材３２を介して行うよう構成している。なお、本変形例では、このような係止部材３２として面ファスナーを使用している。
【０１５６】
そして、このような隆起部材３１を備えるマット３０によれば、図１６に示すように、仰臥した使用者Ｐの脊椎部分に対し、隆起部材３１により形成された隆起条が当接することとなり、脊椎の上下方向（紙面奥行き方向）の蛇行をより小さくすると共に、肩部の相対的な沈降を助長して使用者の胸をより開きやすくすることができる。
【０１５７】
したがって、使用者Ｐの就寝時の姿勢を正しつつ、正しい姿勢で寝ることによる快適さやリラックスを生起することや、使用者の寝返りを円滑に行わせることを更に助長することができる。
【０１５８】
なお、本第２の変形例に係るマット３０には、前述の第１の変形例における切欠部２３や幅広部２４を設けるようにしても良い。
【０１５９】
次に、本実施形態に係るマットの第３の変形例について図１７を参照しながら説明する。本第３の変形例に係るマット４０は、先に説明した背当て部材１０と同様の構成を備えているが、複数のシート状分割体４１を重畳して形成し、マット４０の高さを調整可能としている点で構成を異にしている。
【０１６０】
具体的には、本第３の変形例では５枚のシート状分割体４１（第１シート状分割体４１ａ〜第５シート状分割体４１ｅ）を順に重畳してマット４０を構成しており、使用者の好みに応じてシート状分割体４１の枚数を増減させることにより、マット４０の高さを変更可能としている。
【０１６１】
したがって、使用者の体に合わせた矯正や、矯正の程度を徐々に増減させることができる。
【０１６２】
また、各シート状分割体４１の縁部には、外方へ向けて下り傾斜状の分割体スロープ部４２が形成されている。
【０１６３】
この分割体スロープ部４２は、各シート状分割体４１を順に重畳（例えば、第１→第２→第３の順や、第３→第４→第５の順のように連続する番号順に、上方から下方へ向けて面積が徐々に広くなるように順に重畳）することにより、マット４０の連続的なスロープ部１６を形成可能な傾斜としている。
【０１６４】
従って、隣り合うシート状分割体４１を重畳させることにより、重畳枚数を増減させた場合でも、連続的なスロープが形成されることとなり、マット４０の高さの調整を可能とすることができるのは勿論のこと、マット４０と就寝面１３との間に段差が形成されることを防止できると共に、寝返りの容易性も確保することができる。
【０１６５】
なお、本第３の変形例では、各シート状分割体４１を単に重ね合わせる構成としたが、これに限定されるものではなく、例えば、面ファスナーなどの係止部材を介して互いにずれないように重畳させて構成しても良いし、重畳させたマット４０の体積と略同じ容積を有する（マット４０にフィットする）袋状の収容体内に収容することで相互のズレを防止すべく構成しても良い。
【０１６６】
また、本第３の変形例に係るマット４０には、前述の第１の変形例における切欠部２３や幅広部２４、前述の第２の変形例における隆起部材３１等を設けるようにしても良い。
【０１６７】
〔敷き寝具の背当て部構造を備えたマットレス〕
次に、本実施形態に係る敷き寝具の背当て部構造を備えたマットレス（以下、本実施形態に係るマットレス、又は単にマットレスともいう。）について、図１８〜図２０を参照しながら説明する。
【０１６８】
図１８は、本実施形態に係るマットレス５０を示した説明図である。本実施形態に係るマットレス５０は、同マットレス５０の内部であって就寝面５７側に、本実施形態に係る敷き寝具の背当て部構造を備えた背当て部材１０が、本実施形態に係る敷き寝具の背当て部構造を備える構造体（以下、背当部構造体という。）として内蔵されている点で、一般的なマットレスと構成を異にしている。
【０１６９】
すなわち、図１９のマットレス５０の断面図に示すように、マットレス５０は、下層側から裏面布５１、第一ウレタン層５２ａ、第一フェルト層５３ａ、ボンネルコイル層５４、パーム層５５、第二フェルト層５３ｂ、第二ウレタン層５２ｂを順次積層して形成しており、第二ウレタン層５２ｂと表面布５６との間に、本実施形態に係る敷き寝具の背当て部構造を備えた背当て部材１０を背当部構造体５８として配設している。
【０１７０】
ここで、背当部構造体５８は、弾力性を生起する（過剰な沈み込みの原因となる）ボンネルコイル層５４や第二ウレタン層５２ｂよりも就寝面５７側であって表面布５６よりも内側に配設している。
【０１７１】
換言すれば、ボンネルコイル層５４や第二ウレタン層５２ｂの如き弾力性を生起するための主たる構成部材（以下、主弾性部材ともいう。）よりも就寝面寄りに本実施形態に係る敷き寝具の背当て部構造を備えることで、主弾性部材による沈み込みを緩衝すべく構成している点に特徴を有している。
【０１７２】
それゆえ、本実施形態に係るマットレス５０によれば、使用者の就寝時の姿勢を正しつつ、正しい姿勢で寝ることによる快適さやリラックスを生起することができ、しかも、使用者の寝返りを可及的阻害することのないマットレス５０を提供することができる。
【０１７３】
なお、本実施形態に係るマットレス５０は、背当て部材１０を背当部構造体５８として内蔵することで本実施形態に係る敷き寝具の背当て部構造を実現したが、これに限定されるものではなく、本実施形態に係る敷き寝具の背当て部構造を備えた何らかの背当部構造体を就寝面近傍に備えていれば良い。
【０１７４】
例えば、図２０の断面図に示すように、背当て部材１０の形状をベースとした敷き寝具の背当て構造部５９ａの裾部分を広く引き伸ばし、就寝面５７の略全体に及ぶような平坦部５９ｂを設けた背当部構造体５９を収容することで構成しても良い。
【０１７５】
また、収容する背当部構造体には、前述の第１の変形例における切欠部２３や幅広部２４、前述の第２の変形例における隆起部材３１等を設けても良く、第３の変形例にて示した構成を適用して高さを調節可能としても良い。隆起部材３１を着脱自在とした場合や、高さの調整を可能とした場合には、背当部構造体５８をマットレス５０内部より取出し可能に構成するのが好ましい。
【０１７６】
〔敷き寝具の背当て部構造を備えた敷き布団〕
次に、本実施形態に係る敷き寝具の背当て部構造を備えた敷き布団（以下、本実施形態に係る敷き布団、又は単に敷き布団ともいう。）について、図２１及び図２２を参照しながら説明する。
【０１７７】
図２１は、本実施形態に係る敷き布団６０を示した説明図である。本実施形態に係る敷き布団６０は、同敷き布団６０の内部であって就寝面６１側に、本実施形態に係る敷き寝具の背当て部構造を備えた背当て部材１０が背当部構造体６６として内蔵されている点で、一般的な敷き布団と構造を異にしている。
【０１７８】
すなわち、図２２の敷き布団６０の断面図に示すように、敷き布団６０は、下層側から裏面布６２、第一ウール層６３ａ、ウレタン層６４、第二ウール層６３ｂ、を順次積層して形成しており、第二ウール層６３ｂと表面布６５との間に、本実施形態に係る敷き寝具の背当て部構造を備えた背当て部材１０を背当部構造体６６として配設している。
【０１７９】
ここで、背当部構造体６６は、弾力性を生起する（過剰な沈み込みの原因となる）第一ウール層６３ａ、ウレタン層６４、第二ウール層６３ｂ、すなわち、主弾性部材よりも就寝面６１側であって表面布６５よりも内側に配設している。
【０１８０】
それゆえ、本実施形態に係る敷き布団６０によれば、使用者の就寝時の姿勢を正しつつ、正しい姿勢で寝ることによる快適さやリラックスを生起することができ、しかも、使用者の寝返りを可及的阻害することのない敷き布団６０を提供することができる。
【０１８１】
なお、本実施形態に係る敷き布団６０は、背当て部材１０を背当部構造体６６として内蔵することで本実施形態に係る敷き寝具の背当て部構造を実現したが、これに限定されるものではなく、本実施形態に係る敷き寝具の背当て部構造を備えた何らかの背当部構造体を就寝面近傍に備えていれば良い。
【０１８２】
例えば、前述のマットレス５０で説明したように、就寝面の略全体に及ぶような平坦部５９ｂを設けた背当部構造体５９を収容することで構成しても良い。
【０１８３】
また、収容する背当部構造体には、前述の第１の変形例における切欠部２３や幅広部２４、前述の第２の変形例における隆起部材３１等を設けても良く、第３の変形例における構成を適用して高さを調節可能としても良い。
【０１８４】
〔ポケット部を備える敷き寝具〕
次に、本実施形態に係る敷き寝具の背当て部構造を備えたマット等の背当部構造体を収容するポケット部を備えた敷き寝具（以下、単にポケット付敷き寝具ともいう。）について、図２３及び図２４を参照しながら説明する。
【０１８５】
図２３は、ポケット付敷き寝具の一形態としてのマットレス８０を示した説明図である。マットレス８０は、その就寝面８１を構成するベース生地としての表面布８７に、本実施形態に係る敷き寝具の背当て部構造を備えた背当て部材１０等の背当部構造体８８が収容されるポケット部８２を備えている点に特徴を有している。
【０１８６】
特に図２３においては、背当部構造体８８の一例として、背当て部材１０を挿入可能としたポケット部８２を備える例を示している。
【０１８７】
本実施形態においてポケット部８２は、相対的に大きな主ポケット８２ａと、相対的に小さな副ポケット８２ｂとの２つのポケットにより構成している。
【０１８８】
主ポケット８２ａは、主布８３を表面布８７に対して縫い付けることで形成したものであり、就寝面８１上に仰臥した使用者の足方向に開口するポケット状としている。
【０１８９】
また、副ポケット８２ｂは、副布８４を表面布８７に対して縫い付けることで形成したものであり、就寝面８１上に仰臥した使用者の頭方向に開口するポケット状としている。
【０１９０】
また、ポケット部８２は、図２３及び図２４に示すように、副ポケット８２ｂの開口部分近傍に、主ポケット８２ａの開口部分を上方から一部重畳させて形成しており、この重畳部８５をポケット部８２の挿入口８６とすると共に、主ポケット８２ａ及び副ポケット８２ｂの内部を、背当て部材１０を収容するための収容空間Ｖとしている。なお、図２４では、マットレス８０の主弾性部材近傍の内部構造については図示を省略している。
【０１９１】
また、ポケット部８２を構成する主布８３は、図２５に示すように、主ポケット８２ａが形成される就寝面８１上の面積よりも大きな面積のものを使用して弛緩させた状態でその周縁に縫着部８９を形成して縫着している。なお、図２５では、マットレス８０の主弾性部材近傍の内部構造や、収容空間Ｖ内に配設した背当部構造体８８については図示を省略している。
【０１９２】
同様に、ポケット部８２を構成する副布８４もまた、副ポケット８２ｂが形成される就寝面８１上の面積よりも大きな面積のものを使用して弛緩させた状態で縫着している。
【０１９３】
このようなポケット部８２を有するマットレス８０によれば、本実施形態に係る敷き寝具の背当て部構造を備えたマット等の背当部構造体を容易に収容することができ、使用者の就寝時の姿勢を正しつつ、正しい姿勢で寝ることによる快適さやリラックスを生起することができ、しかも、使用者の寝返りを可及的阻害することがない。
【０１９４】
また、主ポケット８２ａを足方向に開口させ、副ポケット８２ｂを頭方向に開口させると共に、主ポケット８２ａの開口近傍と副ポケット８２ｂの開口近傍とを主布８３を上方として一部重合させた状態で縫着してポケット部８２を形成しているため、就寝中に背当部構造体８８が収容空間Ｖから離脱することを防止しつつ、使用者が就寝中に足を動かしたとき、具体的には膝を曲げた状態から伸ばした状態に動かした場合でも、ポケット部８２に足が引っかかることを可及的防止することができる。
【０１９５】
なお、本実施形態では、ポケット付敷き寝具の一形態としてマットレスを例に説明したがこれに限定されるものではなく、例えば、敷き布団やシーツにポケット部を設けるようにしても良い。
【０１９６】
上述してきたように、本実施形態に係る敷き寝具の背当て部構造によれば、使用者が仰臥状態で就寝した際に前記使用者の背部に当接する背当て部材を備えた敷き寝具の背当て部構造であって、前記背当て部材は本体部を使用者背部に対して高い抗力を及ぼす高抗力部に構成すると共に、同高抗力部の周縁に前記使用者の背部に対して前記本体部の高抗力部よりも低い抗力を及ぼす低抗力部を形成したため、使用者の就寝時の姿勢を正しつつ、正しい姿勢で寝ることによる快適さやリラックスを生起することができ、しかも、使用者の寝返りを可及的阻害することのない敷き寝具の背当て部構造を提供することができる。
【０１９７】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０１９８】
１０  背当て部材
１１  ベッド
１２  マットレス
１３  就寝面
１３ａ，１３ｂ  切欠部
１５  本体部
１６  スロープ部
２０  マット
２３  切欠部
２４  幅広部
３０  マット
３１  隆起部材
３２  係止部材
４０  マット
４１  シート状分割体
４１ａ  第１シート状分割体
４１ｂ  第２シート状分割体
４１ｃ  第３シート状分割体
４１ｄ  第４シート状分割体
４１ｅ  第５シート状分割体
４２  分割体スロープ部
５０  マットレス
５１  裏面布
５２ａ  第一ウレタン層
５２ｂ  第二ウレタン層
５３ａ  第一フェルト層
５３ｂ  第二フェルト層
５４  ボンネルコイル層
５５  パーム層
５６  表面布
５７  就寝面
５８  背当部構造体
５９  背当部構造体
５９ａ  背当て構造部
５９ｂ  平坦部
６０  布団
６１  就寝面
６２  裏面布
６３ａ  第一ウール層
６３ｂ  第二ウール層
６４  ウレタン層
６５  表面布
６６  背当部構造体
７０  マットレスカバー
７１  ゴムバンド
７２  表面
７３  裏面
７４  表面布
７５  裏面布
７６  背当部構造体
７７  縫着部
８０  マットレス
８１  就寝面
８２  ポケット部
８２ａ  主ポケット
８２ｂ  副ポケット
８３  主布
８４  副布
８５  重畳部
８６  挿入口
８７  表面布
８８  背当部構造体
８９  縫着部
９０  寝具
９１  マット部
９２  枕部
９３ａ，ｂ，ｃ  切欠部
９４  係止ベルト
９５  スペーサー体
９６  頚部当接体
９７  後頭部当接体
９８，９８  側部規制体
１０１  クッション材
１０１ａ  柔軟クッション層
１０１ｂ  硬質クッション層
１０２  ベッドパッド
１０３  カバー部
１０４  小片マット部材
１０５  位置決め部材
１０６  ポケット部
１０７  クッション材
１０８  ベッドフレーム
１１０  寝具
Ｆ  ファスナー
Ｌ１  長さ
Ｌ２  幅
Ｌ３  長さ
Ｐ  使用者
Ｖ  収容空間
【要約】
【課題】使用者の就寝時の姿勢を正しつつ、正しい姿勢で寝ることによる快適さやリラックスを生起することができ、しかも、使用者の寝返りを可及的阻害することのない敷き寝具の背当て部構造、及び、同背当て部構造を備えた敷き寝具を提供する。
【解決手段】使用者が仰臥状態で就寝した際に前記使用者の背部に当接する背当て板を備えた敷き寝具の背当て部構造であって、前記背当て板は本体部を使用者背部に対して高い抗力を及ぼす高抗力部に構成すると共に、同高抗力部の周縁に前記使用者の背部に対して前記本体部の高抗力部よりも低い抗力を及ぼす低抗力部を形成した。
【選択図】図１【図１】
0005508588.tif 000002
【図２】
0005508588.tif 000003
【図３】
0005508588.tif 000004
【図４】
0005508588.tif 000005
【図５】
0005508588.tif 000006
【図６】
0005508588.tif 000007
【図７】
0005508588.tif 000008
【図８】
0005508588.tif 000009
【図９】
0005508588.tif 000010
【図１０】
0005508588.tif 000011
【図１１】
0005508588.tif 000012
【図１２】
0005508588.tif 000013
【図１３】
0005508588.tif 000014
【図１４】
0005508588.tif 000015
【図１５】
0005508588.tif 000016
【図１６】
0005508588.tif 000017
【図１７】
0005508588.tif 000018
【図１８】
0005508588.tif 000019
【図１９】
0005508588.tif 000020
【図２０】
0005508588.tif 000021
【図２１】
0005508588.tif 000022
【図２２】
0005508588.tif 000023
【図２３】
0005508588.tif 000024
【図２４】
0005508588.tif 000025
【図２５】
0005508588.tif 000026